(57)【要約】【課題】中間転写ベルトの姿勢に対する記録媒体の搬送姿勢を決められた範囲内にすることができる記録媒体の案内機構及び画像形成装置を得る。【解決手段】複数色転写モードと単色転写モードとの間を移行させると、張力付与ロール４０が円弧状に移動する。これにより、中間転写ベルト３２の姿勢が変化すと共に支持部材１６２も移動する。支持部材１６２が移動することで、第二案内部１８２及び第三案内部１８４が移動する。つまり、中間転写ベルト３２とシート部材Ｐの先端との接触部における中間転写ベルト３２の姿勢の変化に連動して第二案内部１８２及び第三案内部１８４が移動する。これにより、中間転写ベルトの姿勢に対する記録媒体の搬送姿勢を決められた範囲内にすることができる。【選択図】図１
2012203387.tif 000002
【特許請求の範囲】
【請求項１】
駆動手段により周回すると共に表面に画像が形成される無端状の無端部材へ向けて、前記無端部材に形成された画像が転写される記録媒体を案内する案内部材と、
前記記録媒体の先端部と前記無端部材とが接触する接触部における前記無端部材の姿勢の変化に連動して前記案内部材を移動させ、前記案内部材によって案内される記録媒体の搬送姿勢を変化させる移動手段と、
を備える記録媒体の案内機構。
【請求項２】
前記移動手段は、前記無端部材の裏面を押圧して前記接触部における前記無端部材の姿勢を変化させながら前記無端部材に張力を付与する張力付与部材の移動に連動して前記案内部材を移動させる請求項１に記載の記録媒体の案内機構。
【請求項３】
前記移動手段は、前記無端部材に形成された画像を記録媒体に転写する転写部における前記無端部材と前記記録媒体との成す角が決められた範囲内に入るように、前記案内部材を移動させる請求項１又は２に記載の記録媒体の案内機構。
【請求項４】
前記案内部材は、
前記案内部材に対して記録媒体の搬送方向の上流側に設けられた搬送部材から送り出される記録媒体の先端部が当り、前記記録媒体の先端部を前記転写部に対して前記無端部材の周回方向の上流側の前記無端部材における前記接触部に当てると共に、装置本体に固定された第一案内部と、
前記転写部における前記無端部材と前記記録媒体との成す角が決められた範囲内に入はいるように、前記第一案内部によって先端部が前記無端部材と当った前記記録媒体の搬送面と当ると共に、前記移動手段によって移動する第二案内部と、
前記転写部における前記無端部材と前記記録媒体との成す角が決められた範囲内に入るように、前記搬送部材から送り出された前記記録媒体の後端部と当ると共に、前記移動手段によって移動する第三案内部と、
を備える請求項３に記載された記録媒体の案内機構。
【請求項５】
駆動手段により周回する無端状の無端部材と、
前記無端部材の裏面に接触すると共に、異なった色の画像を夫々保持する複数個の像保持体に対して前記無端部材を挟んで反対側に設けられ、前記像保持体に形成されたトナー画像を前記無端部材の表面に転写する複数個の転写部材と、
周回する前記無端部材向けて前記無端部材に形成された画像が転写される記録媒体を案内する請求項１〜４の何れか１項に記載された記録媒体の案内機構と、
前記記録媒体の案内機構によって案内された記録媒体に、前記無端部材に形成されたトナー画像を転写する転写手段と、
を備える画像形成装置。
【発明の詳細な説明】
【技術分野】
【０００１】
本発明は、記録媒体の案内機構及び画像形成装置に関する。
【背景技術】
【０００２】
特許文献１には、中間転写ベルトにおける転写領域の手前まで、記録シートを案内する可動ガイドが記載されている。
【先行技術文献】
【特許文献】
【０００３】
【特許文献１】特開２００６−１１０４４号公報
【発明の概要】
【発明が解決しようとする課題】
【０００４】
本発明の課題は、中間転写ベルトの姿勢に対する記録媒体の搬送姿勢を決められた範囲内にすることである。
【課題を解決するための手段】
【０００５】
本発明の請求項１に係る記録媒体の案内機構は、駆動手段により周回すると共に表面に画像が形成される無端状の無端部材へ向けて、前記無端部材に形成された画像が転写される記録媒体を案内する案内部材と、前記記録媒体の先端部と前記無端部材とが接触する接触部における前記無端部材の姿勢の変化に連動して前記案内部材を移動させ、前記案内部材によって案内される記録媒体の搬送姿勢を変化させる移動手段と、を備えることを特徴とする。
【０００６】
本発明の請求項２に係る記録媒体の案内機構は、請求項１に記載において、前記移動手段は、前記無端部材の裏面を押圧して前記接触部における前記無端部材の姿勢を変化させながら前記無端部材に張力を付与する張力付与部材の移動に連動して前記案内部材を移動させることを特徴とする。
【０００７】
本発明の請求項３に係る記録媒体の案内機構は、請求項１又は２に記載において、前記移動手段は、前記無端部材に形成された画像を記録媒体に転写する転写部における前記無端部材と前記記録媒体との成す角が決められた範囲内に入るように、前記案内部材を移動させることを特徴とする。
【０００８】
本発明の請求項４に係る記録媒体の案内機構は、請求項３に記載において、前記案内部材は、前記案内部材に対して記録媒体の搬送方向の上流側に設けられた搬送部材から送り出される記録媒体の先端部が当り、前記記録媒体の先端部を前記転写部に対して前記無端部材の周回方向の上流側の前記無端部材における前記接触部に当てると共に、装置本体に固定された第一案内部と、前記転写部における前記無端部材と前記記録媒体との成す角が決められた範囲内に入はいるように、前記第一案内部によって先端部が前記無端部材と当った前記記録媒体の搬送面と当ると共に、前記移動手段によって移動する第二案内部と、前記転写部における前記無端部材と前記記録媒体との成す角が決められた範囲内に入るように、前記搬送部材から送り出された前記記録媒体の後端部と当ると共に、前記移動手段によって移動する第三案内部と、を備えることを特徴とする。
【０００９】
本発明の請求項５に係る画像形成装置は、駆動手段により周回する無端状の無端部材と、前記無端部材の裏面に接触すると共に、異なった色の画像を夫々保持する複数個の像保持体に対して前記無端部材を挟んで反対側に設けられ、前記像保持体に形成された画像を前記無端部材の表面に転写する複数個の転写部材と、周回する前記無端部材向けて前記無端部材に形成された画像が転写される記録媒体を案内する請求項１〜４の何れか１項に記載された記録媒体の案内機構と、前記記録媒体の案内機構によって案内された記録媒体に、前記無端部材に形成された画像を転写する転写手段と、を備えることを特徴とする。
【発明の効果】
【００１０】
本発明の請求項１の記録媒体の案内機構によれば、無端部材の姿勢に対する記録媒体の搬送姿勢を決められた範囲内にすることができる。
【００１１】
本発明の請求項２の記録媒体の案内機構によれば、案内部材を移動させることができる。
【００１２】
本発明の請求項３の記録媒体の案内機構によれば、転写部における無端部材と記録媒体との成す角が決められた範囲より大きい場合と比して、記録媒体と無端部材との間で生じる放電を抑制することができる。
【００１３】
本発明の請求項４の記録媒体の案内機構によれば、案内部材が複数個に分割されていない場合と比して、簡易な構成で、無端部材の姿勢に対する記録媒体の搬送姿勢を決められた範囲内にすることができる。
【００１４】
本発明の請求項５の画像形成装置によれば、請求項１〜４の何れか１項に記載された記録媒体の案内機構を備えない場合と比して、出力画像の品質を向上させることができる。
【図面の簡単な説明】
【００１５】
【図１】本発明の実施形態に係る記録媒体の案内機構を示した側面図である。
【図２】（Ａ）（Ｂ）本発明の実施形態に係る記録媒体の案内機構を示した側面図である。
【図３】（Ａ）（Ｂ）本発明の実施形態に係る記録媒体の案内機構を示した側面図である。
【図４】（Ａ）（Ｂ）本発明の実施形態に係る記録媒体の案内機構を示した側面図である。
【図５】（Ａ）（Ｂ）本発明の実施形態に係る記録媒体の案内機構を示した側面図である。
【図６】本発明の実施形態に係る画像形成装置に用いられた一次転写ユニットを示した側面図である。
【図７】本発明の実施形態に係る画像形成装置に用いられた一次転写ユニットを示した側面図である。
【図８】本発明の実施形態に係る画像形成装置に用いられた一次転写ユニットを示した側面図である。
【図９】本発明の実施形態に係る画像形成装置に用いられた一次転写ユニットを示した側面図である。
【図１０】本発明の実施形態に係る画像形成装置に用いられた一次転写ユニットを示した斜視図である。
【図１１】本発明の実施形態に係る画像形成装置に用いられた一次転写ユニットを示した斜視図である。
【図１２】本発明の実施形態に係る画像形成装置に用いられた一次転写ユニットを示した斜視図である。
【図１３】本発明の実施形態に係る画像形成装置に用いられた一次転写ユニットを示した斜視図である。
【図１４】本発明の実施形態に係る画像形成装置に用いられた一次転写ユニットを示した拡大斜視図である。
【図１５】本発明の実施形態に係る画像形成装置に用いられた一次転写ユニットを示した拡大斜視図である。
【図１６】本発明の実施形態に係る画像形成装置を示した斜視図である。
【図１７】本発明の実施形態に係る画像形成装置を示した概略構成図である。
【発明を実施するための形態】
【００１６】
本発明の実施形態に係る記録媒体の案内機構及び画像形成装置の一例を図１〜図１７に従って説明する。なお図中に示す矢印ＵＰは鉛直方向上方を示す。
【００１７】
（全体構成）
図１７に示されるように、画像形成装置１０の装置本体１０Ａの内部には、入力される画像データに対して画像処理を行なう画像処理部１２が設けられている。
【００１８】
この画像処理部１２は、入力された画像データをイエロー（Ｙ）、マゼンタ（Ｍ）、シアン（Ｃ）、ブラック（Ｋ）の４色の階調データに処理するようになっており、この処理された階調データを受け取って、レーザ光ＬＢによる画像露光を行う露光装置１４が装置本体１０Ａ内の中央に設けられている。
【００１９】
また、露光装置１４の上方には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に対して傾斜する方向に間隔をおいて配置されている。なお、Ｙ，Ｍ，Ｃ，Ｋを区別して説明する必要が無い場合は、Ｙ，Ｍ，Ｃ，Ｋを省略して記載することがある。
【００２０】
これらの４つの画像形成ユニット１６Ｙ、１６Ｍ、１６Ｃ、１６Ｋは、すべて同様に構成されており、予め決められた速度で回転駆動される円柱状の像保持体１８と、この像保持体１８の外周面を帯電する一次帯電用の帯電部材２０と、前述した露光装置１４の画像露光によって帯電した像保持体１８の外周面に形成された静電潜像を、予め決められた色のトナーで現像してトナー画像として可視化する現像部材２２と、像保持体１８の外周面を清掃する清掃ブレード２４とを含んで構成されている。また、帯電部材２０の下側には、帯電部材２０と接して帯電部材２０の外周面を清掃する清掃部材６４が設けられている。
【００２１】
また、露光装置１４には、４つの画像形成ユニット１６Ｙ、１６Ｍ、１６Ｃ、１６Ｋに共通に構成された、図示しない４つの半導体レーザが設けられており、これらの半導体レーザからレーザ光ＬＢ−Ｙ、ＬＢ−Ｍ、ＬＢ−Ｃ、ＬＢ−Ｋが階調データに応じて出射されるようになっている。
【００２２】
なお、半導体レーザから出射されたレーザ光ＬＢ−Ｙ、ＬＢ−Ｍ、ＬＢ−Ｃ、ＬＢ−Ｋは、図示しないシリンドリカルレンズを介して回転多面鏡であるポリゴンミラー２６に照射され、このポリゴンミラー２６によって偏向走査されるようになっている。そして、このポリゴンミラー２６によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、像保持体１８上の露光ポイントに、斜め下方から走査露光されるようになっている。
【００２３】
また、この露光装置１４は、下方から像保持体１８上に画像を走査露光するものであるため、この露光装置１４には、上方に位置する４つの画像形成ユニット１６Ｙ、１６Ｍ、１６Ｃ、１６Ｋの現像部材２２等からトナー等が落下する虞が有る。そのため、露光装置１４は、その周囲が直方体状のフレーム２８によって密閉されている。そして、フレーム２８の上部には、４本のレーザ光ＬＢ−Ｙ、ＬＢ−Ｍ、ＬＢ−Ｃ、ＬＢ−Ｋを、各画像形成ユニット１６Ｙ、１６Ｍ、１６Ｃ、１６Ｋの像保持体１８上に向けて透過させる透明なガラス製のウインドウ３０Ｙ、３０Ｍ、３０Ｃ、３０Ｋが設けられている。
【００２４】
一方、各画像形成ユニット１６Ｙ、１６Ｍ、１６Ｃ、１６Ｋの上方には、転写装置の一例としての一次転写ユニット２１が設けられている。そして、この一次転写ユニット２１は、無端状の無端部材の一例としての中間転写ベルト３２と、中間転写ベルト３２が巻き掛けられ回転駆動して中間転写ベルト３２を矢印方向に周回させる駆動ロール３６と、中間転写ベルト３２が巻き掛けられ中間転写ベルト３２に張力を付与する張力付与部材の一例としての張力付与ロール４０と、張力付与ロール４０の上方に設けられて中間転写ベルト３２と従動回転する従動ロール６６と、中間転写ベルト３２を挟んで像保持体１８Ｙ、１８Ｍ、１８Ｃ、１８Ｋの反対側に配置される転写部材の一例としての一次転写ロール３４Ｙ、３４Ｍ、３４Ｃ、３４Ｋと、を含んで構成されている。
【００２５】
そして、この４つの一次転写ロール３４Ｙ、３４Ｍ、３４Ｃ、３４Ｋによって、画像形成ユニット１６Ｙ、１６Ｍ、１６Ｃ、１６Ｋの像保持体１８上に順次形成されたイエロー（Ｙ）、マゼンタ（Ｍ）、シアン（Ｃ）、ブラック（Ｋ）の各色のトナー画像が、中間転写ベルト３２上に、多重に転写される構成となっている。
【００２６】
さらに、中間転写ベルト３２の外周面を清掃する清掃ブレード３８が、中間転写ベルト３２を挟んで駆動ロール３６の反対側に設けられている。また、中間転写ベルト３２を挟んで張力付与ロール４０と対向する位置には、中間転写ベルト３２に転写されたトナー像を検知する検知部材１６０（図１参照）が取り付けられた支持部材１６２が設けられている。なお、一次転写ユニット２１及び検知部材１６０については、詳細を後述する。
【００２７】
また、中間転写ベルト３２を挟んで従動ロール６６の反対側には、転写手段の一例としての二次転写ロール４２が設けられている。中間転写ベルト３２上に多重に転写されたイエロー（Ｙ）、マゼンタ（Ｍ）、シアン（Ｃ）、ブラック（Ｋ）の各色のトナー画像は、中間転写ベルト３２により搬送され、従動ロール６６と二次転写ロール４２に挟まれ、用紙搬送経路５６に沿って搬送される記録媒体としてのシート部材Ｐに二次転写されるようになっている。
【００２８】
さらに、二次転写ロール４２に対してシート部材Ｐの搬送方向の下流側（以下単に下流側と言う）には、シート部材Ｐに転写されたトナー画像を熱及び圧力によりシート部材Ｐに定着する定着装置４４が設けられている。
【００２９】
また、定着装置４４の下流側には、トナー画像が定着したシート部材Ｐを画像形成装置１０の装置本体１０Ａの上部に設けられた排出部４８に排出する排出ロール４６が設けられている。
【００３０】
一方、画像形成装置１０の装置本体１０Ａ内の下側には、シート部材Ｐが積載される給紙部材５０が設けられている。さらに、この給紙部材５０に積載されたシート部材Ｐを用紙搬送経路５６へ送り出す給紙ロール５２が設けられ、給紙ロール５２の下流側には、シート部材Ｐを１枚ずつ分離して搬送る分離ロール５４が設けられている。また、分離ロール５４の下流側には、搬送タイミングを合わせる搬送部材の一例としての位置合せロール５８が設けられている。
【００３１】
さらに、位置合せロール５８の下流側には、表面にトナー画像が形成された中間転写ベルト３２へ向けて、トナー画像が転写されるシート部材Ｐを案内する記録媒体の案内機構１６４（以下単に案内機構１６４と言う）が設けられている。
【００３２】
これにより、給紙部材５０から供給されて位置合せロール５８により送り出されたシート部材Ｐは、案内機構１６４により案内されて中間転写ベルト３２と二次転写ロール４２とが接する位置（二次転写位置Ｈ）へ到達する構成となっている。なお、案内機構１６４については、詳細を後述する。
【００３３】
さらに、排出ロール４６の隣りには、定着装置４４によって片面にトナー画像が定着されたシート部材Ｐを、排出ロール４６によって排出部４８上にそのまま排出せずに、両面用搬送経路６２に搬送する搬送ロール６０が設けられている。これにより、両面用搬送経路６２に沿って搬送されるシート部材Ｐは、表裏が反転された状態で、位置合せロール５８へと再度搬送され、今度は、シート部材Ｐの裏面にトナー画像が転写・定着されて排出部４８上に排出されるようになっている。
【００３４】
この構成により、以下のようにシート部材Ｐに画像が形成される。
【００３５】
先ず、画像処理部１２から露光装置１４に各色の階調データが順次出力され、この露光装置１４から階調データに応じて出射されたレーザ光ＬＢ−Ｙ、ＬＢ−Ｍ、ＬＢ−Ｃ、ＬＢ−Ｋは、帯電部材２０によって帯電した像保持体１８の外周面に走査露光され、像保持体１８の外周面に静電潜像が形成される。像保持体１８上に形成された静電潜像は、現像部材２２Ｙ、２２Ｍ、２２Ｃ、２２Ｋによって、それぞれイエロー（Ｙ）、マゼンタ（Ｍ）、シアン（Ｃ）、ブラック（Ｋ）の各色のトナー画像として可視化される。
【００３６】
さらに、各画像形成ユニット１６Ｙ、１６Ｍ、１６Ｃ、１６Ｋの上方に渡って配置された一次転写ユニット２１の一次転写ロール３４によって、像保持体１８上に形成されたイエロー（Ｙ）、マゼンタ（Ｍ）、シアン（Ｃ）、ブラック（Ｋ）の各色のトナー画像が、周回する中間転写ベルト３２上に多重に転写される。
【００３７】
また、周回する中間転写ベルト３２上に多重に転写された各色のトナー画像は、二次転写ロール４２により、給紙部材５０から給紙ロール５２、分離ロール５４、位置合せロール５８によって用紙搬送経路５６に予め決められたタイミングで搬送されたシート部材Ｐに二次転写される。
【００３８】
さらに、トナー画像が転写されたシート部材Ｐは、定着装置４４へと搬送される。シート部材Ｐに転写されたトナー画像は、定着装置４４によってシート部材Ｐに定着され、定着された後、画像形成装置１０の装置本体１０Ａの上部に設けられた排出部４８に排出ロール４６によって排出される。
【００３９】
さらに、シート部材Ｐの両面に画像を形成させる場合は、定着装置４４によって片面にトナー画像が定着されたシート部材Ｐを、排出ロール４６によって排出部４８上にそのまま排出せずに、搬送方向を切り替え、搬送ロール６０を介して両面用搬送経路６２へと搬送する。そして、両面用搬送経路６２に沿ってシート部材Ｐを搬送することで、シート部材Ｐの表裏が反転され、シート部材Ｐが再度位置合せロール５８へと搬送される。今度は、シート部材Ｐの裏面にトナー画像が転写・定着され、転写・定着された後、排出部４８上に排出ロール４６によって排出される。
【００４０】
（一次転写ユニットの及び案内機構等の構成）
次ぎに、一次転写ユニット２１及び案内機構１６４等について説明する。
【００４１】
図６、図１０に示されるように、像保持体１８に形成された各色のトナー画像を中間転写ベルト３２上に転写する各色の一次転写ロール３４は、金属（例えばステンレス）で形成されている。
【００４２】
そして、中間転写ベルト３２に各色を多重に転写させる場合（カラー印刷時）には、一次転写ユニット２１に設けられた各色の一次転写ロール３４は、中間転写ベルト３２を像保持体１８に押し当てるようになっている。これにより、各色の像保持体１８に形成されたトナー画像が中間転写ベルト３２に転写されるようになっている。
【００４３】
詳細には、一次転写ユニット２１において、一次転写ロール３４の回転軸方向（以下単に軸方向と言う）の両側には、一次転写ユニット２１の骨格を構成する一対のフレーム部材７０が設けられている。
【００４４】
また、一次転写ロール３４Ｙ、３４Ｍ、３４Ｃの両端部は、図６では軸方向から見て中央側が屈曲して逆Ｌ字状とされた支持部材７２Ｙ、７２Ｍ、７２Ｃの先端側に回転可能に取り付けられている。さらに、この支持部材７２Ｙ、７２Ｍ、７２Ｃの屈曲部には、支持部材７２をフレーム部材７０に回転可能に取り付けると共に軸方向を向いた回転軸７４Ｙ、７４Ｍ、７４Ｃが設けられている。
【００４５】
また、支持部材７２Ｙ、７２Ｍ、７２Ｃの他端側には、一次転写ロール３４Ｙ、３４Ｍ、３４Ｃを中間転写ベルト３２の裏面に向けて付勢する付勢部材の一例としてのコイルスプリング７６Ｙ、７６Ｍ、７６Ｃが取り付けられている。具体的には、コイルスプリング７６Ｙ、７６Ｍ、７６Ｃの一端は、支持部材７２Ｙ、７２Ｍ、７２Ｃの他端側に固定され、コイルスプリング７６Ｙ、７６Ｍ、７６Ｃの他端は、フレーム部材７０に固定されている。
【００４６】
さらに、駆動ロール３６と一次転写ロール３４Ｙとの間には、中間転写ベルト３２の裏面を支持すると共に、各色のトナー画像を中間転写ベルト３２に転写する際に、各色のトナー画像が中間転写ベルト３２に転写される転写部８０における中間転写ベルト３２の周回経路を規制する規制部材の一例としての規制ロール８２が設けられている。
【００４７】
この規制ロール８２の両端部は、軸方向から見て中央側が屈曲して逆Ｌ字状とされた支持部材８４の先端側に回転可能に取り付けられている。さらに、この支持部材８４の屈曲部には、支持部材８４をフレーム部材７０に回転可能に取り付けると共に軸方向を向いた回転軸８６が設けられている。
【００４８】
また、支持部材８４の他端側には、規制ロール８２を中間転写ベルト３２の裏面に向けて付勢する付勢部材の一例としてのコイルスプリング８８が設けられている。具体的には、コイルスプリング８８の一端は、支持部材８４の他端側に固定され、コイルスプリング８８の他端は、フレーム部材７０に固定されている。なお、コイルスプリング８８の付勢力は、前述したコイルスプリング７６の付勢力に比して強くされている。そして、一次転写ロール３４Ｙ、３４Ｍ、３４Ｃは、中間転写ベルト３２を像保持体１８に押し当てるようになっている。
【００４９】
さらに、コイルスプリング８８の付勢力が伝達される支持部材８４と当って、支持部材８４の配置位置を決める突起部（図示省略）がフレーム部材７０に設けられている。このように、支持部材８４がコイルスプリング８８の付勢力によって突起部と当るため、規制ロール８２の配置位置が決められるようになっている。
【００５０】
一方、中間転写ベルト３２に張力を付与する張力付与ロール４０の回転軸４０Ａの両端は、軸方向から見て中央側が屈曲してＬ字状とされた保持部材９０の一端側に回転可能に支持されている。さらに、保持部材９０の屈曲部には、保持部材９０をフレーム部材７０に回転可能に取り付けると共に軸方向を向いた回転軸９２が設けられている。つまり、保持部材９０は回転軸９２を中心に回転移動し、張力付与ロール４０は回転軸９２を中心に円弧状に移動可能となっている。
【００５１】
また、保持部材９０の他端側（上方に延びた端部）には、付勢部材の一例としてのコイルスプリング９４の先端部が固定されており、このコイルスプリング９４の基端部は、フレーム部材７０に固定されている。そして、保持部材９０が回転軸９２を中心に回転移動し、張力付与ロール４０が中間転写ベルト３２の裏面（内周面）を押圧するように、コイルスプリング９４が保持部材９０の他端側を付勢するようになっている。これにより、中間転写ベルト３２には、予め定められた範囲の張力が付与される。
【００５２】
さらに、張力付与ロール４０と一次転写ロール３４Ｃとの間には、一次転写ロール３４Ｋが設けられている。一次転写ロール３４Ｋの両端部は、軸方向から見て中央側が屈曲してＬ字状とされた支持部材９８の先端側に回転可能に取り付けられている。さらに、この支持部材９８の屈曲部には、支持部材９８をフレーム部材７０に回転可能に取り付けると共に軸方向に向いた回転軸１０２が設けられている。
【００５３】
また、支持部材９８の他端側には、一次転写ロール３４Ｋを中間転写ベルト３２の裏面に向けて付勢する付勢部材の一例としてのコイルスプリング１０４が取り付けられている。具体的には、コイルスプリング１０４一端は、支持部材９８の他端側に固定され、コイルスプリング１０４の他端は、フレーム部材７０に固定されている。なお、コイルスプリング１０４の付勢力は、前述したコイルスプリング７６の付勢力に比して強くされている。
【００５４】
さらに、コイルスプリング１０４の付勢力が伝達される支持部材９８と当って、支持部材９８の配置位置を決める突起部１０６がフレーム部材７０に設けられている。このように、支持部材９８がコイルスプリング１０４の付勢力によって突起部１０６と当るため、一次転写ロール３４Ｋの配置位置が決められるようになっている。
【００５５】
そして、前述したように配置位置が決められた規制ロール８２と一次転写ロール３４Ｋとの間において、周回する中間転写ベルト３２の周回経路は、決められた位置を通るように規制されている。つまり、各色の転写部８０における中間転写ベルト３２の周回経路は、規制ロール８２と一次転写ロール３４Ｋとによって規制されるようになっている。
【００５６】
一方、各色の一次転写ロール３４が中間転写ベルト３２の裏面と接触することで、各色の一次転写ロール３４による中間転写ベルト３２の表面へのトナー画像の転写を可能とする複数色転写モードから、一次転写ロール３４Ｙ、３４Ｍ、３４Ｃを中間転写ベルト３２の裏面から退避させ一次転写ロール３４Ｋによる中間転写ベルト３２の表面へのトナー画像の転写を可能とする単色転写モードへ切り換え可能とする第一切替機構１１０が設けられている。
【００５７】
図６、図７に示されるように、第一切替機構１１０には、規制ロール８２及び一次転写ロール３４Ｙ、３４Ｍ、３４Ｃが中間転写ベルト３２の裏面と接触する第一の位置（図６、図１０参照）と、規制ロール８２及び一次転写ロール３４Ｙ、３４Ｍ、３４Ｃを中間転写ベルト３２から退避させる第二の位置（図７、図１１参照）との間を移動可能とさせる第一移動部材１１２が設けられている。
【００５８】
詳細には、第一移動部材１１２は、フレーム部材７０に対して軸方向の内側（一次転写ロール３４が配置される側）に設けられ、軸方向から見て各色の一次転写ロール３４が並ぶ第一方向（図６に示す矢印Ｄ方向）に延びる板状とされている。さらに、第一移動部材１１２には、軸方向から見て第一方向に延びる長孔１１２Ａ及び長孔１１２Ｂが形成され、長孔１１２Ａ及び長孔１１２Ｂは第一方向に並んで配置されている。
【００５９】
さらに、長孔１１２Ａを通る円柱状のロッド１１４と、長孔１１２Ｂを通る円柱状のロッド１１６とが一対のフレーム部材７０の間に掛け渡されている。そして、ロッド１１４及びロッド１１６は、長孔１１２Ａ及び長孔１１２Ｂ内を移動可能となっている。これにより、第一移動部材１１２は、第一方向に沿って往復移動できるようになっている。
【００６０】
また、第一移動部材１１２には、第一移動部材１１２が一端部から他端部に向って移動すると、支持部材８４及び支持部材７２と当って、規制ロール８２及び一次転写ロール３４Ｙ、３４Ｍ、３４Ｃを第一の位置（図６参照）から第二の位置（図７参照）へ移動させる突起部１２２及び突起部１２０Ｙ、１２０Ｍ、１２０Ｃが設けられている。
【００６１】
さらに、第一移動部材１１２には、第一方向において駆動ロール３６側を向いた第一接触部の一例としての接触面１２４が形成されている。そして、この接触面１２４と当り、第一移動部材１１２を介して規制ロール８２及び一次転写ロール３４Ｙ、３４Ｍ、３４Ｃを第一の位置（図６参照）から第二の位置（図７参照）へ移動させる第一切替部材の一例としてのカム部材１２６が設けられている。
【００６２】
具体的には、図６に示されるように、カム部材１２６は、ロッド１１６に取り付けられており、カム部材１２６の短径が接触面１２４と対向すると、突起部１２２及び突起部１２０を介して支持部材８４及び支持部材７２には押圧力は伝達されず、規制ロール８２及び一次転写ロール３４Ｙ、３４Ｍ、３４Ｃはコイルスプリング８８及びコイルスプリング７６の付勢力で第一の位置に配置されるようになっている。
【００６３】
一方、図７に示されるように、ロッド１１６が回転してカム部材１２６の長径が接触面１２４と当ると、接触面１２４がカム部材１２６に押圧されて第一移動部材１１２は第一方向における張力付与ロール４０側に移動する。第一移動部材１１２が第一方向に移動することで、突起部１２２及び突起部１２０を介して支持部材８４及び支持部材７２には押圧力が伝達される。そして、支持部材８４及び支持部材７２は、回転軸８６及び回転軸７４を中心に回転して、規制ロール８２及び一次転写ロール３４Ｙ、３４Ｍ、３４Ｃは第二の位置に配置されるようになっている。
【００６４】
なお、ロッド１１６は、一次転写ユニット２１の外部に設けられた図示せぬ駆動源が、制御部からの指示により駆動することで、この駆動力が伝達されて回転するようになっている。また、第一移動部材１１２による押圧力が解除されると、規制ロール８２及び一次転写ロール３４Ｙ、３４Ｍ、３４Ｃはコイルスプリング８８及びコイルスプリング７６の付勢力で第二の位置から第一の位置に移動するようになっている。
【００６５】
これに対し、図７に示す単色転写モードから一次転写ロール３４Ｋを中間転写ベルト３２の裏面から退避させて全ての一次転写ロール３４を中間転写ベルト３２から退避させる退避モードへ切り替え可能とすると共に、図６に示す複数色転写モードから全ての一次転写ロール３４を中間転写ベルト３２から退避させる退避モードへ切り替え可能とする第二切替機構１３０が設けられている。
【００６６】
図６、図７に示されるように、第二切替機構１３０には、一次転写ロール３４Ｋが中間転写ベルト３２の裏面と接触して支持する第三の位置と、一次転写ロール３４Ｋが中間転写ベルト３２から退避する第四の位置（図８、図９参照）との間を移動可能とさせる第二移動部材１３２が設けられている。
【００６７】
詳細には、図６、図１０に示されるように、第二移動部材１３２は、第一移動部材１１２に対して軸方向の内側に設けられ、軸方向から見て第一方向に延びて設けられている。さらに、第二移動部材１３２には、軸方向から見て第一方向に延びる長孔１３２Ａ及び長孔１３２Ｂが形成され、長孔１３２Ａ及び長孔１３２Ｂは第一方向に並んで配置されている。
【００６８】
さらに、前述した第一移動部材１１２には、長孔１３２Ａを通るエンボス１３４が軸方向に延びて形成されている。また、一対のフレーム部材７０の間には、長孔１３２Ｂを通る円柱状のロッド１３６が掛け渡されている。そして、エンボス１３４及びロッド１３６は、長孔１３２Ａ及び長孔１３２Ｂ内を移動可能となっている。これにより、第二移動部材１３２は、第一方向に沿って往復移動できるようになっている。
【００６９】
また、図６、図８に示されるように、第二移動部材１３２には、第二移動部材１３２が一端部から他端部に向って移動すると、支持部材９８と当って、一次転写ロール３４Ｋを第三の位置（図６参照）から第四の位置（図８、図１２参照）へ移動させる突起部１４６が設けられている。
【００７０】
同様に、第二移動部材１３２には、第二移動部材１３２が一端部から他端部に向って移動すると、保持部材９０と当って保持部材９０を回転移動させ、張力付与ロール４０によって中間転写ベルト３２に付与される張力を解除する突起部１３８が設けられている。
【００７１】
さらに、第二移動部材１３２には、第一方向において張力付与ロール４０側を向いた第二接触部の一例としての接触面１４０が形成されている。そして、この接触面１４０と当り、第二移動部材１３２を介して一次転写ロール３４Ｋを第三の位置（図６参照）から第四の位置（図８参照）へ移動させる第二切替部材の一例としてのカム部材１４２が設けられている。
【００７２】
具体的には、図６、図１４に示されるように、カム部材１４２は、軸方向において、第一移動部材１１２と第二移動部材１３２との間に配置されている。そして、カム部材１４２は、ロッド１３６に取り付けられており、カム部材１４２の短径が接触面１４０と対向すると、突起部１４６及び突起部１３８を介して支持部材９８及び保持部材９０には押圧力は伝達されないようになっている。そして、一次転写ロール３４Ｋは、コイルスプリング１０４の付勢力で第三の位置に配置され、張力付与ロール４０は、コイルスプリング９４の付勢力で中間転写ベルト３２に張力を付与するようになっている。
【００７３】
一方、図８、図１５に示されるように、ロッド１３６が回転してカム部材１４２の長径が接触面１４０と当ると、接触面１４０がカム部材１２６に押圧されて第二移動部材１３２は第一方向における駆動ロール３６側に移動する。第二移動部材１３２が第一方向に移動することで、突起部１４６及び突起部１３８を介して支持部材９８及び保持部材９０には押圧力が伝達される。そして、支持部材９８は回転軸１０２を中心に回転して、一次転写ロール３４Ｋは第四の位置に配置され、保持部材９０は回転軸９２を中心に回転して、中間転写ベルト３２に付与される張力が解除されるようになっている。
【００７４】
さらに、図６に示されるように、第一移動部材１１２には、カム部材１４２を挟んで接触面１４０の反対側に設けられる第三接触部の一例としての接触面１４４が、駆動ロール３６側を向いて設けられている。図６、図９に示されるように、この構成により、一次転写ロール３４Ｙ、３４Ｍ、３４Ｃが第一の位置に配置される場合において、ロッド１３６が回転してカム部材１４２の長径が接触面１４４と当ると、規制ロール８２及び一次転写ロール３４Ｙ、３４Ｍ、３４Ｃが第一の位置（図６参照）から第二の位置（図９、図１３参照）へ移動するようになっている。
【００７５】
さらに、図１０に示されるように、ロッド１３６の一端部には、後述するハンドル１５８（図１６参照）と着脱自在とされるか噛合部１４８が設けられており、ハンドル１５８から伝達される回転力が噛合部１４８を介してロッド１３６に伝達されるようになっている。
【００７６】
なお、図７に示されるように、一次転写ロール３４Ｙ、３４Ｍ、３４Ｃが第二の位置で、一次転写ロール３４Ｋが第三の位置に配置された状態では、カム部材１４２と接触面１４４とは離間するため、カム部材１４２を回転させても第一移動部材１１２は移動しないようになっている。
【００７７】
一方、図１に示されるように、中間転写ベルト３２を挟んで張力付与ロール４０と対向する位置には、中間転写ベルト３２に転写されたトナー像を検知する検知部材１６０が設けられ、この検知部材１６０は、支持部材１６２に取り付けられている。
【００７８】
詳細には、支持部材１６２は、張力付与ロール４０の回転軸４０Ａが嵌る溝部１６６Ａが先端部に形成されると共に張力付与ロール４０の軸方向両側に配置された一対の支持部１６６と、一対の支持部１６６の基端部が固定されると共に検知部材１６０が取り付けられた直方体状の筐体部１６８とを備えている。
【００７９】
さらに、筐体部１６８の基端面（支持部１６６が固定された側とは反対側の面）は、平板状の支持板１７０に載せられている。また、支持板１７０には、支持板１７０に載せられた筐体部１６８を軸方向と直交する直交方向（図１に示す矢印Ｊ方向）に沿って移動可能とする図示せぬレール部材が設けられている。
【００８０】
また、支持板１７０は、溝部１６６Ａを回転軸４０Ａに付勢する方向（図１に示す矢印Ｋ方向）に移動可能に支持されており、支持板１７０の鉛直方向下側には、溝部１６６Ａを回転軸４０Ａに向けて付勢する付勢部材の一例としてのコイルスプリング１７２が設けられている。
【００８１】
これらの構成により、支持部材１６２が移動した場合でも支持部材１６２と鉛直方向と成す角度（図１に示すＭ度）は、常に一定とされている。つまり、張力付与ロール４０の移動に追従して支持部材１６２の配置位置が移動した場合でも、支持部材１６２の姿勢は変わらないようになっている。
【００８２】
さらに、この検知部材１６０の隣り（図１に示す右隣り）であって、位置合せロール５８の下流側には、前述した案内機構１６４を構成すると共に、中間転写ベルト３２へ向けてシート部材Ｐを案内する案内部材１７４が設けられている。
【００８３】
そして、この案内部材１７４は、位置合せロール５８から送り出されたシート部材Ｐの先端部が当ると共に、装置本体１０Ａに固定された第一案内部１８０と、搬送されるシート部材Ｐの搬送面が当ると共に、張力付与ロール４０の移動に連動して移動する第二案内部１８２と、搬送されるシート部材Ｐの後端部が当ると共に、張力付与ロール４０の移動に連動して移動する第三案内部１８４とを備えている。ここで、シート部材Ｐの搬送面とは、中間転写ベルト３２と対向する面とは反対側の面である。
【００８４】
具体的には、図２（Ａ）、図４（Ａ）に示されるように、第一案内部１８０は、板部材を折り曲げて形成され、位置合せロール５８の下流側に配置されている。そして、第一案内部１８０は、搬送されるシート部材Ｐの先端部と当りシート部材Ｐの先端部を中間転写ベルト３２と二次転写ロール４２とが接する位置（二次転写位置Ｈ）より中間転写ベルト３２の周回方向の上流側の中間転写ベルト３２に当てるようになっている。つまり、シート部材Ｐの先端部と中間転写ベルト３２とが接触する接触部Ｔは、二次転写位置Ｈより中間転写ベルト３２の周回方向の上流側となる。
【００８５】
また、図２（Ｂ）、図４（Ｂ）に示されるように、第二案内部１８２は、板部材を折り曲げて形成され、第一案内部１８０に対して下流側に配置されている。そして、中間転写ベルト３２と第二案内部１８２との間が、搬送されるシート部材Ｐの用紙搬送経路５６（図１７参照）とされている。また、第二案内部１８２は、支持部材１６２に図示せぬブラケットで固定されており、支持部材１６２の移動に伴って移動するようになっている。
【００８６】
つまり、中間転写ベルト３２に決められた張力を付与するために、単色転写モードの場合（図４、図５参照）には、複数色転写モードの場合（図２、図３参照）と比して、張力付与ロール４０が、回転軸９２（図６参照）を中心に回転移動して鉛直方向下側に配置される。これにより、支持部材１６２も移動するが、姿勢を保持した状態で支持部材１６２が移動するため、支持部材１６２が紙面左下側に移動すると、第二案内部１８２も紙面左下側に移動するようになっている。
【００８７】
さらに、第二案内部１８２は、搬送されるシート部材Ｐの搬送面と当り、二次転写位置Ｈにおける中間転写ベルト３２とシート部材Ｐとの成す角が決められた範囲内に入るようになっている。
【００８８】
ここで、図１に示されるように、成す角Ｅとは、二次転写位置Ｈと第二案内部１８２における中間転写ベルト３２側の点とを結んだ線と、中間転写ベルト３２の表面とが成す角である。また、決められた範囲とは、一例として１０度である。
【００８９】
また、図３（Ａ）、図５（Ａ）に示されるように、位置合せロール５８におけるシート部材Ｐの搬送速度は、二次転写位置Ｈにおけるシート部材Ｐの搬送速度より速くされている。このため、二次転写位置Ｈでシート部材Ｐが中間転写ベルト３２と二次転写ロール４２とに挟み込まれた後は、シート部材Ｐの搬送面は第二案内部１８２から離間し、シート部材Ｐはループを描くようになっている。
【００９０】
さらに、図３（Ｂ）、図５（Ｂ）に示されるように、第三案内部１８４は、平板状とされ、第一案内部１８０に対して対向して配置されている。そして、第一案内部１８０と第三案内部１８４との間が、搬送されるシート部材Ｐの用紙搬送経路５６（図１７参照）とされている。また、第三案内部１８４は、支持部材１６２にブラケット１８８によって固定されており、支持部材１６２の移動に伴って移動するようになっている。
【００９１】
つまり、中間転写ベルト３２に決められた張力を付与するために、単色転写モードの場合（図４、図５参照）には、複数色転写モードの場合（図２、図３参照）と比して、張力付与ロール４０が、回転軸９２（図６参照）を中心に回転移動して鉛直方向下側に配置される。これにより、支持部材１６２も移動するが、姿勢を保持した状態で支持部材１６２が移動するため、支持部材１６２が紙面左下側に移動すると、第三案内部１８４も紙面左下側に移動するようになっている。
【００９２】
さらに、第三案内部１８４は、ループを描いたシート部材Ｐの後端が位置合せロール５８による挟持から解放された後に、搬送されるシート部材Ｐの後端と当る。そして、二次転写位置Ｈにおける中間転写ベルト３２とシート部材Ｐとの成す角は、前述した成す角Ｅ（図１参照）より小さくなるため、決められた範囲内に入るようになっている。
【００９３】
以上より、張力付与ロール４０の移動（中間転写ベルト３２の姿勢の変化）に伴って第二案内部１８２及び第三案内部１８４を移動させる移動手段１７８は、支持部材１６２とブラケット１８８と図示せぬブラケットとを含んで構成されている。
【００９４】
（要部構成の作用）
次に、案内機構１６４等の作用について説明する。
【００９５】
図６、図１０に示されるように、複数色（カラー）で画像を出力する複数色転写モードの場合には、各色の一次転写ロール３４が中間転写ベルト３２の裏面と接触している。
【００９６】
つまり、規制ロール８２及び一次転写ロール３４Ｙ、３４Ｍ、３４Ｃは第一の位置に配置され、一次転写ロール３４Ｋは第三の位置へ配置されている。そして、張力付与ロール４０によって中間転写ベルト３２に張力が付与されている。
【００９７】
さらに、第一移動部材１１２の接触面１２４はカム部材１２６の短径と当り、第一移動部材１１２の接触面１４４及び第二移動部材１３２の接触面１４０はカム部材１４２の短径と当っている。
【００９８】
図２（Ａ）に示されるように、この状態で画像を出力しようとすると、搬送されるシート部材Ｐは、位置合せロール５８で搬送タイミングが合わされ、下流側に搬送される。
【００９９】
位置合せロール５８から送り出されたシート部材Ｐの先端は、第一案内部１８０に当って導かれ、二次転写位置Ｈより中間転写ベルト３２の周回方向の上流側の中間転写ベルト３２に当る。
【０１００】
図２（Ｂ）に示されるように、シート部材Ｐの先端は、周回する中間転写ベルト３２により二次転写位置Ｈに向けて移動する。シート部材Ｐの先端が二次転写位置Ｈに向けて移動することで、シート部材Ｐの搬送面が第二案内部１８２に当る。
【０１０１】
シート部材Ｐの搬送面が第二案内部１８２に当った状態のまま、シート部材Ｐの先端部は、二次転写位置Ｈで、中間転写ベルト３２と二次転写ロール４２とに挟み込まれる。つまり、シート部材Ｐの搬送面が第二案内部１８２に当った状態のまま、シート部材Ｐの先端部が、中間転写ベルト３２と二次転写ロール４２とに挟み込まれるため、二次転写位置Ｈにおける中間転写ベルト３２とシート部材Ｐとの成す角θ１は決められた範囲内に入る。
【０１０２】
図３（Ａ）に示されるように、シート部材Ｐの先端部が中間転写ベルト３２と二次転写ロール４２とに挟み込まれた後は、二次転写位置Ｈにおけるシート部材Ｐの搬送速度より位置合せロール５８によるシート部材Ｐの搬送速度のほうが速くされているため、シート部材Ｐの搬送面は第二案内部１８２及び第一案内部１８０と離間する。そして、シート部材Ｐはループを描く。なお、シート部材Ｐの搬送面が第二案内部１８２と離間して中間転写ベルト３２側に膨らむことでシート部材Ｐがループを描くため、二次転写位置Ｈにおける中間転写ベルト３２とシート部材Ｐとの成す角θ２は決められた範囲内に入る。
【０１０３】
図３（Ｂ）に示されるように、ループを描いたシート部材Ｐの後端が位置合せロール５８による挟持から解放されると、解放されたシート部材Ｐの後端は第三案内部１８４と当たる。このため、二次転写位置Ｈにおける中間転写ベルト３２とシート部材Ｐとの成す角θ３は決められた範囲内に入る。
【０１０４】
一方、図６、図１０に示されるように、例えば、ユーザが単色（白黒）で画像を出力する単色転写モードに移行させるために、図示せぬ操作パネルを操作すると、図示せぬ制御部からの指示によって駆動源から駆動力がロッド１１６に伝達される。駆動力が伝達されたロッド１１６が回転することでカム部材１２６は１８０度回転する。
【０１０５】
図７、図１１に示されるように、カム部材１２６が１８０度回転すると、カム部材１２６の外周面が接触面１２４を押圧してカム部材１２６の長径が接触面１２４と当り、第一移動部材１１２は第一方向における張力付与ロール４０側に移動する。
【０１０６】
第一移動部材１１２が第一方向に移動することで、第一移動部材１１２に形成された突起部１２２及び突起部１２０を介して支持部材８４及び各色の支持部材７２には押圧力が伝達される。そして、支持部材８４及び各色の支持部材７２は、回転軸８６及び回転軸７４を中心に回転して、規制ロール８２及び一次転写ロール３４Ｙ、３４Ｍ、３４Ｃは、中間転写ベルト３２から退避する第二の位置に配置される。
【０１０７】
規制ロール８２及び一次転写ロール３４Ｙ、３４Ｍ、３４Ｃが、中間転写ベルト３２から退避することで、中間転写ベルト３２に付与されていた張力が弱まる。しかし、コイルスプリング９４の付勢力により張力付与ロール４０が、回転軸９２を中心に円弧状に回転して中間転写ベルト３２の裏面を押圧して、中間転写ベルト３２には決められた張力が付与される。
【０１０８】
ここで、図４（Ａ）に示されるように、中間転写ベルト３２が巻き掛けられた張力付与ロール４０が、円弧状に移動するため、接触部Ｔ（図２（Ａ）参照）における中間転写ベルト３２の姿勢が変化すると共に、支持部材１６２も移動する（二点鎖線参照）。
【０１０９】
さらに、支持部材１６２が移動することで、第二案内部１８２及び第三案内部１８４が移動する。つまり、接触部Ｔにおける中間転写ベルト３２の姿勢の変化に連動して第二案内部１８２及び第三案内部１８４が移動する。
【０１１０】
ここで、前述したように、姿勢を保持した状態で支持部材１６２が移動するため、支持部材１６２が紙面左下側に移動すると、第二案内部１８２及び第三案内部１８４も紙面左下側に移動する。つまり、二次転写位置Ｈと張力付与ロール４０との間を周回する中間転写ベルト３２が紙面左側に寄るため、第二案内部１８２及び第三案内部１８４も紙面左側に移動する。
【０１１１】
この状態で画像を出力しようとすると、搬送されるシート部材Ｐは、位置合せロール５８で搬送タイミングが合わされ、下流側に搬送される。
【０１１２】
位置合せロール５８から送り出されたシート部材Ｐの先端は、第一案内部１８０に当って導かれ、二次転写位置Ｈより中間転写ベルト３２の周回方向の上流側の中間転写ベルト３２に当る。
【０１１３】
図４（Ｂ）に示されるように、シート部材Ｐの先端は、周回する中間転写ベルト３２により二次転写位置Ｈに向けて移動する。シート部材Ｐの先端が二次転写位置Ｈに向けて移動することで、シート部材Ｐの搬送面が第二案内部１８２に当る。
【０１１４】
そして、シート部材Ｐの搬送面が第二案内部１８２に当った状態のまま、シート部材Ｐの先端部は、二次転写位置Ｈで、中間転写ベルト３２と二次転写ロール４２とに挟み込まれる。つまり、シート部材Ｐの搬送面が第二案内部１８２に当った状態のまま、シート部材Ｐの先端部が、中間転写ベルト３２と二次転写ロール４２とに挟み込まれる。
【０１１５】
ここで、前述したように、中間転写ベルト３２の姿勢の変化に連動して第二案内部１８２が移動しているため、二次転写位置Ｈにおける中間転写ベルト３２とシート部材Ｐとの成す角θ４は決められた範囲内に入る。
【０１１６】
図５（Ａ）に示されるように、シート部材Ｐの先端部が中間転写ベルト３２と二次転写ロール４２とに挟み込まれた後は、二次転写位置Ｈにおけるシート部材Ｐの搬送速度より位置合せロール５８によるシート部材Ｐの搬送速度のほうが速くされているため、シート部材Ｐの搬送面は第二案内部１８２及び第一案内部１８０と離間する。そして、シート部材Ｐはループを描く。なお、シート部材Ｐの搬送面が第二案内部１８２と離間して中間転写ベルト３２側に膨らむことでシート部材Ｐがループを描くため、二次転写位置Ｈにおける中間転写ベルト３２とシート部材Ｐとの成す角θ５は決められた範囲内に入る。
【０１１７】
図５（Ｂ）に示されるように、ループを描いたシート部材Ｐの後端が位置合せロール５８による挟持から解放されると、シート部材Ｐの後端は、第三案内部１８４と当る。
【０１１８】
ここで、前述したように、中間転写ベルト３２の姿勢の変化に連動して第三案内部１８４が移動しているため、二次転写位置Ｈにおける中間転写ベルト３２とシート部材Ｐとの成す角θ６は決められた範囲内に入る。
【０１１９】
以上説明したように、中間転写ベルト３２の姿勢に連動して第二案内部１８２及び第三案内部１８４が移動するため、二次転写位置Ｈにおける中間転写ベルト３２とシート部材Ｐとの成す角が決められた範囲内に入る。
【０１２０】
また、二次転写位置Ｈにおける中間転写ベルト３２とシート部材Ｐとの成す角が決められた範囲内に入るため、二次転写位置Ｈに対して上流側（２次転写Ｐｒｅニップ側）における２次転写電界による放電により、トナー画像の転写中に白点が発生し出力画像の品質が低下することが抑制される。
【０１２１】
また、第一案内部１８０が装置本体１０Ａに固定されているため、位置合せロール５８から送り出されるシート部材Ｐに与えられる負荷が一定となる。
【０１２２】
また、張力付与ロール４０の移動に連動して第二案内部１８２及び第三案内部１８４を移動させるため、簡易な構成で第二案内部１８２及び第三案内部１８４が移動する。
【０１２３】
また、案内機構１６４の案内部材１７４は、第一案内部１８０、第二案内部１８２及び第三案内部１８４に分割されているため、容易に、中間転写ベルト３２の姿勢に対するシート部材Ｐの搬送姿勢が決められた範囲内となる。
【０１２４】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、第二案内部１８２及び第三案内部１８４には、支持部材１６２を介して張力付与ロール４０の移動力が伝達されたが、特に支持部材１６２を介することなく、張力付与ロールの回転軸等から移動力が第二案内部１８２及び第三案内部１８４に直接伝達されてもよい。
【０１２５】
また、本発明にかかる実施形態では電子写真方式の画像形成装置を用いて説明したが、画像形成方式としてこれに限られず、インクジェット方式等の他の画像形成装置であっても構わない。
【符号の説明】
【０１２６】
１０            画像形成装置
１０Ａ          装置本体
３２            中間転写ベルト（無端部材の一例）
３４            一次転写ロール（転写部材の一例）
４０            張力付与ロール（張力付与部材の一例）
４２            二次転写ロール（転写手段の一例）
５８            位置合せロール（搬送部材の一例）
１６４          案内機構（記録媒体の案内機構）
１７４          案内部材
１７８          移動手段
１８０          第一案内部
１８２          第二案内部
１８４          第三案内部
【図１】
2012203387.tif 000003
【図２】
2012203387.tif 000004
【図３】
2012203387.tif 000005
【図４】
2012203387.tif 000006
【図５】
2012203387.tif 000007
【図６】
2012203387.tif 000008
【図７】
2012203387.tif 000009
【図８】
2012203387.tif 000010
【図９】
2012203387.tif 000011
【図１０】
2012203387.tif 000012
【図１１】
2012203387.tif 000013
【図１２】
2012203387.tif 000014
【図１３】
2012203387.tif 000015
【図１４】
2012203387.tif 000016
【図１５】
2012203387.tif 000017
【図１６】
2012203387.tif 000018
【図１７】
2012203387.tif 000019